(57)【特許請求の範囲】
【請求項１】
金属板製の壁パネルを用いた既設の建築物の外装を、当該既設外装を除去することなく改装する建築物外装改装方法であって、次の（１）〜（６）の工程からなることを特徴とする建築物外装改装方法。
（１）既設壁パネルを取り付けている、上向きに突出するフランジを持つ鋼製の既設胴縁の位置で、既設壁パネルに穴をあける工程、
（２）下向きのフック部と既設壁パネルと平行な背板部とを持つ下地取出用金具を、前記穴から既設壁パネル内部に挿入して、そのフック部にて前記既設胴縁の前記フランジに上から引っ掛ける工程、
（３）既設壁パネルにあけた前記穴より広い穴塞ぎ板を、既設壁パネルの前記穴の部分に外側から当てる工程、
（４）前記下地取出用金具と穴塞ぎ板とを、前記背板部において両者を貫通するねじ締着手段により一体結合させる工程、
（５）前記下地取出用金具に、水平方向に延びる新下地を直接または別部材を介在させて固定する工程、
（６）前記新下地に新壁パネルを取り付ける工程。
【請求項２】
金属板製の壁パネルを用いた既設の建築物の外装を、当該既設外装を除去することなく改装するための建築物外装改装用の下地取出構造であって、
既設壁パネルを取り付けている、上向きに突出するフランジを持つ鋼製の既設胴縁の位置において当該既設壁パネルにあけた穴から内部に挿入され、下向きのフック部と既設壁パネルと平行な背板部とを持ち前記フック部にて前記既設胴縁の前記フランジに上から引っ掛けられた下地取出用金具と、
既設壁パネルにあけた前記穴を塞ぐように既設壁パネルの外面に当てられた穴塞ぎ板と、
前記下地取出用金具と穴塞ぎ板とを、前記背板部において両者を貫通して一体結合するねじ締着手段と、
前記下地取出用金具に、新壁パネルを取り付けるための、水平方向に延びる新下地を直接または別部材を介在させて取り付ける新下地取付手段と、
を備えたことを特徴とする建築物外装改装用の下地取出構造。
【請求項３】
前記下地取出用金具は、背板部とその両側の側板部とを有して上面から見てコ字形をなすとともに、前記側板部に前記フック部となる下向き溝状切欠きを持ち、前記背板部に外方に向けて突出して固定されたボルトを持つことを特徴とする請求項２記載の建築物外装改装用の下地取出構造。
【請求項４】
前記下地取出用金具の背面部と穴塞ぎ板との間に配置されてこれらと一体結合される立ち上がり部と既設胴縁の下面に接触する底部とでL形をなす浮き上がり防止用Ｌ形金具を設けたことを特徴とする請求項３記載の建築物外装改装用の下地取出構造。
【請求項５】
前記下地取出用金具は、背板部とその両側の側板部とを有して上面から見てコ字形をなすとともに、前記側板部に前記フック部となる下向き溝状切欠きを持つ金具本体部と、前記背板部の下端縁から外方に伸びる新下地取付部とからなることを特徴とする請求項２記載の建築物外装改装用の下地取出構造。
【請求項６】
前記下地取出用金具は、既設胴縁の外側面に接触する断面Ｃ形の立ち上がり枠部と、この立ち上がり枠部の下縁から内側に伸びて既設胴縁の底面に接触する浮き上がり防止用部とを持つ金具本体部と、この金具本体部の前記立ち上がり枠部にあけた穴に挿通され、内側の先端部に前記既設胴縁に係合するフック部を持つフックボルトとからなることを特徴とする請求項２記載の建築物外装改装用の下地取出構造。
【発明の詳細な説明】
【０００１】
【発明の属する技術分野】
この発明は、金属板製の壁パネルを用いた既設の建築物の外装（外壁）を、当該既設外装を除去することなく改装するための建築物外装改装方法、および建築物外装改装用の下地取出構造に関する。
【０００２】
【従来の技術】
金属板のロール成形により成形した金属板製の壁パネルは、一般ビル、工場、高圧変電所その他の外装材として用いられているが、この種の外装材を取り付けた建築物において、その外装が経年変化で劣化して改装が必要になった場合、従来は、既設の外装材（金属板製の壁パネル）を撤去して新たな外装材を取り付ける施工法を採用している。
【０００３】
この場合、入居中のビルの場合は、入居者を退去させて工事を行い、工場や高圧変電所等の場合は、機械の運転を停止して行っている。
【０００４】
【発明が解決しようとする課題】
上記の従来の外装改装方法は、既設外装を撤去するので、工事中の風雨に対して、建物内部の物を保護するために大掛かりな仮設養生が必要となるという問題がある。
【０００５】
また、工場や高圧変電所等では機械の運転を停止させることが不都合な場合もあることから、既設外装を撤去せずに、既設外装の上から新外装を取り付ける施工法が望ましい場合もある。
【０００６】
しかし、運転中の機械のある工場や高圧変電所等では、作業者が建物内に入って作業をすることができない、あるいは、火災の危険を避けるために溶接作業を行えない、等の種々の制約がある場合が多いため、既設外装を撤去せずに行う外装改装方法で、そのような種々の制約を乗り越えることのできる施工法は、必ずしも簡単に得られない。
【０００７】
なお、ALC版等による外装の建築物の場合には、外装材を撤去しないで、既設の外装材の上に新たな外装材を取り付ける施工法が採用される場合もある。その場合の施工法として、例えば、既設の外装材に穴をあけ、この穴から、建築物の躯体にアンカーボルトを固定し、このアンカーボルトに前記穴を通って外方に突出するブラケットを固定し、このブラケットの外側端部に新しい外装材を取り付ける施工法がある（特公昭６３−３４９３５号、特開平２−７０８６６号等参照）。
【０００８】
また、鉄骨構造建築物の場合、H形鋼梁の上下のフランジ間にブラケットを、ボルトねじ込み力により突っ張る形で固定し、このブラケットに固定した支持部材に新しい外装材を取り付ける施工法もある（特開平８−４３１８号参照）
【０００９】
しかし、金属板製の壁パネルを用いた建築物では、鉄骨の柱、梁および鋼製の胴縁を用いた構造が一般的であり、前述の特公昭６３−３４９３５号、特開平２−７０８６６号の場合のような、アンカーボルトを躯体に固定して施工する施工法は採用できない。
【００１０】
また、特開平８−４３１８号のように、Ｈ形鋼梁の上下のフランジ間にブラケットをボルトのねじ込み力で固定するような施工法は、きわめて繁雑である。しかも、剛性上の理由から梁の部分だけでなく中間の胴縁でも支持する必要のある金属板製の壁パネルの取り付けには、実際上採用できない。
【００１１】
本発明は上記事情に鑑みてなされたもので、金属板製の壁パネルを用いた外装を持つ建築物の外装の改装に際して、既設外装を撤去せずに外装の改装を行うことが可能であり、しかも、建物内部に入ることを要せず外部からの作業で施工することが可能であり、かつ、運転中の機械を停止させる等の建物内部に影響を与えることなく施工が可能な建築物外装改装用の下地取出構造および建築物外装改装方法を提供することを目的とする。
【００１２】
【課題を解決するための手段】
上記課題を解決する本発明は、金属板製の壁パネルを用いた既設の建築物の外装を、当該既設外装を除去することなく改装する建築物外装改装方法であって、次の（１）〜（６）の工程からなることを特徴とする。
（１）既設壁パネルを取り付けている、上向きに突出するフランジを持つ鋼製の既設胴縁の位置で、既設壁パネルに穴をあける工程、
（２）下向きのフック部と既設壁パネルと平行な背板部とを持つ下地取出用金具を、前記穴から既設壁パネル内部に挿入して、そのフック部にて前記既設胴縁の前記フランジに上から引っ掛ける工程、
（３）既設壁パネルにあけた前記穴より広い穴塞ぎ板を、既設壁パネルの前記穴の部分に外側から当てる工程、
（４）前記下地取出用金具と穴塞ぎ板とを、前記背板部において両者を貫通するねじ締着手段により一体結合させる工程、
（５）前記下地取出用金具に、水平方向に延びる新下地を直接または別部材を介在させて固定する工程、
（６）前記新下地に新壁パネルを取り付ける工程。
【００１３】
請求項２は、金属板製の壁パネルを用いた既設の建築物の外装を、当該既設外装を除去することなく改装するための建築物外装改装用の下地取出構造であって、
既設壁パネルを取り付けている、上向きに突出するフランジを持つ鋼製の既設胴縁の位置において当該既設壁パネルにあけた穴から内部に挿入され、下向きのフック部と既設壁パネルと平行な背板部とを持ち前記フック部にて前記既設胴縁の前記フランジに上から引っ掛けられた下地取出用金具と、
既設壁パネルにあけた前記穴を塞ぐように既設壁パネルの外面に当てられた穴塞ぎ板と、
前記下地取出用金具と穴塞ぎ板とを、前記背板部において両者を貫通して一体結合するねじ締着手段と、
前記下地取出用金具に、新壁パネルを取り付けるための、水平方向に延びる新下地を直接または別部材を介在させて取り付ける新下地取付手段と、
を備えたことを特徴とする。
【００１４】
請求項３は、請求項２の建築物外装改装用の下地取出構造における下地取出用金具が、背板部とその両側の側板部とを有して上面から見てコ字形をなすとともに、前記側板部に前記フック部となる下向き溝状切欠きを持ち、前記背板部に外方に向けて突出して固定されたボルトを持つことを特徴とする。
【００１５】
請求項４は、請求項２の建築物外装改装用の下地取出構造において、下地取出用金具の背面部と穴塞ぎ板との間に配置されてこれらと一体結合される垂直部と既設胴縁の下面に接触する水平部とでL形をなす浮き上がり防止用Ｌ形金具を設けたことを特徴とする。
【００１６】
請求項５は、請求項２の建築物外装改装用の下地取出構造における下地取出用金具が、背板部とその両側の側板部とを有して上面から見てコ字形をなすとともに、前記側板部に前記フック部となる下向き溝状切欠きを持つ金具本体部と、前記背板部の下端縁から外方に伸びる新下地取付部とからなることを特徴とする。
【００１７】
請求項６は、請求項２の建築物外装改装用の下地取出構造における下地取出用金具が、既設胴縁の外側面に接触する断面Ｃ形の立ち上がり枠部と、この立ち上がり枠部の下縁から内側に伸びて既設胴縁の底面に接触する浮き上がり防止用部とを持つ金具本体部と、この金具本体部の前記立ち上がり枠部にあけた穴に挿通され、内側の先端部に前記既設胴縁に係合するフック部を持つフックボルトとからなることを特徴とする。
【００１８】
【発明の実施の形態】
以下、本発明の実施形態を図１〜図９を参照して説明する。
図１〜図３に本発明の第１実施形態を示す。図１は金属板製の壁パネルによる外装を改装した建築物における下地取出構造２０の近傍の縦断面図、図２は図１における若干縮小して示したＡ−Ａ断面図、図３は図１、図２における下地取出用金具１１の詳細図である。
これらの図において、１は建築物の柱、２は柱１に固定した受け金具３に乗せて柱１に取り付けた熱間溝形鋼による既設の胴縁（以下既設胴縁という）、４は前記既設胴縁２に取り付けられた既設の金属板製の壁パネル（以下、既設壁パネルという）である。
図示例の既設壁パネル４は、金属板のロール成形により成形したものであり、図２に示すように、幅方向両側部に連結部４ａを持つ長尺部材である。各既設壁パネル４は、隣接する既設壁パネル４の連結部４ａ,４ａをねじ止め具６で押さえ、内側からナット締め付けることにより、既設胴縁２に取り付けている。５は継目部を覆う目地棒である。
【００１９】
第１実施形態は、上記の既設壁パネル４を撤去することなく、当該建築物の外装を改装するものである。
▲１▼まず、既設壁パネル４を取り付けている既設胴縁２の位置で、既設壁パネル４に、例えばホールソー等を用いて穴７をあける。
【００２０】
▲２▼次に、フック部１０を持つ下地取出用金具１１を、外側から前記穴７を通して既設壁パネル４の内部に挿入し、そのフック部１０にて前記既設胴縁２に上から引っ掛ける。
【００２１】
前記下地取出用金具１１は、図３（イ）、（ロ）、（ハ）に詳細を示すように、背板部１２とその両側の側板部１３とを有して上面から見てコ字形をなすとともに、前記側板部１２に前記フック部１０となる下向き溝状切欠き１０ａを持ち、前記背板部１２のほぼ中央位置に外方に向けて突出して固定されたボルト１４を持つ構成である。図示例のボルト１４は、下地取出用金具１１の内側から背板部１２にあけた穴に通して、内側の頭部１４ａを溶接固定している。
なお、前記下地取出用金具１１は、側板部１３の前記下向き切り欠き１０ａが既設胴縁２のフランジ２ａに嵌合するようにして、当該既設胴縁２に引っ掛ける。
【００２２】
次いで、浮き上がり防止用Ｌ形金具１６をセットする。この浮き上がり防止用Ｌ形金具１６は、前記下地取出用金具１１の背面部１２と後述する穴塞ぎ板１７との間に配置されてこれらと一体結合される垂直部１６ａと既設胴縁２の下面に接触する水平部１６ｂとでL形をなす部材である。
【００２３】
１８は新下地用Ｌ形金具であり、垂直部１８ａおよび水平部１８ｂにいずれもボルト挿通穴をあけている。
【００２４】
▲３▼次に、既設壁パネル４にあけた前記穴７より広い前記穴塞ぎ板１７を、既設壁パネル４の前記穴７の部分に外側から当てる。この実施形態では、下地取出用金具１１の背板部１２のボルト１４に、浮き上がり防止用Ｌ形金具１６の垂直部１６ａ、穴塞ぎ板１７、新下地用Ｌ形金具１８の垂直部１８ａの各ボルト挿通穴を通して重ねる。
【００２５】
▲４▼次いで、ナット１９をボルト１４に螺合させ締め付けて、下地取出用金具１１と浮き上がり防止用Ｌ形金具１６と穴塞ぎ板１７と新下地用Ｌ形金具１８とを一体結合させる。この時、浮き上がり防止用Ｌ形金具１６は、下地取出用金具１１が浮き上がって既設胴縁２のフランジ２ａから外れるのを確実に防ぐ。また、穴塞ぎ板１７により穴７が塞がれる。なお、図示例の穴塞ぎ板１７は既設壁パネル４に対しては、単に接触しているだけで、特別に固定はしない。
上記の下地取出用金具１１、浮き上がり防止用Ｌ形金具１６、新下地用Ｌ形金具１８は、下地取出構造２０を構成する。また、ボルト１４およびナット１９はねじ締着手段を構成する。
【００２６】
▲５▼次いで、下地取出用金具１１と一体結合した前記新下地用Ｌ形金具１８に、熱間山形鋼である新下地２２をボルト２３、ナット２４で締め付け固定する。
【００２７】
▲６▼次いで、前記新下地２２に同じく金属板製の新壁パネル２５を取り付ける。実施形態の新壁パネル２５は、同じく金属板のロール成形により成形したもので、図２に示すように、幅方向の両側に連結部２５ａ，２５ｂを持つ長尺部材であるが、この新壁パネル２５は、一方の連結部２５ａに横向きの凹部２５ｃを持ち、他方の連結部２５ｂに前記凹部２５ｃに差し込まれる単なる平坦なエッジ部を持つ構成であり、前記一方の連結部２５ａを外側からビス２６で新下地２２に固定し、他方の連結部２５ｂを前記凹部２５ｃに差し込みながら、新下地２２に順次取り付けていく。
【００２８】
上記の建築物外装改装方法においては、既設壁パネル（既設外装）４を撤去せずに、新壁パネル（新外装）２５を取り付けるものであるから、建物内部の物を保護するための大掛かりな仮設養生は不要となり、施工期間が短縮され、施工費も安くなる。
また、既設外装を撤去せずに施工できるので、また、溶接作業は不要なので、また、既設外装にホールソー等で穴をあける以外には既設構造に加工を施すことはないので、ビル入居中でも、あるいは建物内部の機械等が運転中でも、また、溶接等では火災の恐れがある場合でも、外装改装工事を施工することができる。また、外側からの作業のみで改装作業を行うことができるので、作業者が建物内に入って作業をすることができない場合に好適である。
【００２９】
図４〜図６に本発明の第２実施形態を示す。図４は第２実施形態の下地取出構造３０の近傍の縦断面図、図５は図４における若干縮小して示したＢ−Ｂ断面図、図３は図４、図５における下地取出用金具３１の詳細図である。
この実施形態の下地取出構造３０は、図６に詳細を示すように、図示のような下地取出用金具３１を用いる。この下地取出用金具３１は、背板部３２とその両側の側板部３３とを有して上面から見てコ字形をなすとともに、前記側板部３３にフック部３４となる下向き溝状切欠き３４ａを持つ金具本体部３４と、前記背板部３２の下端縁から外方に伸びる新下地取付部３５とからなる構成であり、前記新下地取付部３５にボルト挿通穴３５ａをあけている。すなわち、この下地取出用金具３１は、概ね、前記第１実施形態における下地取出用金具１１と新下地用Ｌ形金具１８とを一体にした構造であるといえる。
【００３０】
この下地取出用金具３１を用いて、新壁パネル２５を取り付ける場合、穴塞ぎ板１７に前記新下地取付部３５を通す穴１７ａをあけておく。そして、下地取出用金具３１と穴塞ぎ板１７とを例えばタッピンねじ（ねじ締着手段）３６で一体結合する。
そして、前記新下地取付部３５に、第１実施形態と同様に新下地２２をボルト２３とナット２４で固定し、新下地２２に新壁パネル２５をビス２６で固定する。なお、図示例の新下地２２は、新下地取付部３５の上面に取り付けている。また、この実施形態では、下地取出用金具３１の浮き上がりを防止する手段を設けていないが、下地取出用金具３１には新壁パネル２５の下向き重量が作用するのみであるから、それを省略している。ただし、必要があれば、浮き上がり防止部材を別途取り付けるとよい。
【００３１】
図７〜図９に本発明の第３実施形態を示す。図７は第３実施形態の下地取出構造４０の近傍の縦断面図、図８は図５における若干縮小して示したＣ−Ｃ断面図、図９は図７、図８における下地取出用金具４１の金具本体部４４の詳細図である。
この実施形態は、リップ付き軽量溝形鋼を用いた胴縁２’を持つ場合のものであり、この実施形態の下地取出構造４０は、図示のような下地取出用金具４１を用いる。
この下地取出用金具４１は、図９に示すように、リップ付き軽量溝形鋼である既設胴縁２’の外側面に接触する、ウエブ部４２ａと左右のフランジ部４２ｂおよびリブ部４２ｃとで断面Ｃ形（上から見てＣ形）をなす立ち上がり枠部４２と、この立ち上がり枠部４２の下縁から内側に伸びて既設胴縁２’の底面に接触する浮き上がり防止部４３とを持つ金具本体部４４と、この金具本体部４４の前記立ち上がり枠部４２のウエブ部４２ａにあけた穴４２ｄに挿通され、内側の先端部に前記既設胴縁２’に係合するＶ曲げしたフック部４５ａを持つフックボルト４５とからなっている。前記立ち上がり枠部４２のウエブ部４２ａは、下地取出用金具４１の背板部を構成する。
また、４６は新下地用L形金具であり、垂直部４６aおよび水平部４６bにいずれもボルト挿通穴をあけている。
【００３２】
この第３実施形態の下地取出構造４０の場合、図７に示すように、前記金具本体部４４を、その浮き上がり防止部４３が既設胴縁２’の底面に接するように既設胴縁２’に押し当て、フックボルト４５の先端のフック部４５ａを既設胴縁２’のリップ部２aに引っ掛け、このフックボルト４５に螺合させたナット４７を締め付けて、当該金具本体部４１を既設胴縁２’に固定する。
次いで、穴塞ぎ板１７を、そのボルト挿通穴にフックボルト４５が通るようにして、既設壁パネル４の穴７の部分に外側から当て、かつ、その外側に前記新下地用Ｌ形金具４６を、そのボルト挿通穴にフックボルト４５が通るようにして当て、次いで、フックボルト４５にナット４８を螺合させ締め付けて、穴塞ぎ板１７および新下地用Ｌ形金具４６を金具本体部４４に固定する。
以下は、図１〜図３に示した第１実施形態の場合と同じく、新下地２２を新下地用Ｌ形金具４６にボルト２３およびナット２４で固定し、新下地２２に新壁パネル２５をビス２６で取り付ける。
【００３３】
なお、上述の各実施形態では、既設壁パネル４および新壁パネル２５がいずれもロール成形品であるが、本発明における既設および新たな金属板製の壁パネルは、その成形方法は任意であるし、また、単に平坦な金属板であってもよい。
また、対象とする建築物自体は、一般ビル、工場、高圧変電所その他任意である。
また、既設壁パネル４を支持している既設胴縁は、上記各実施形態の断面形状のものに限らず、下地取出用金具の下向きのフック部を引っ掛け可能な部分、すなわち上向きに突出するフランジ部があればよい。
また、下地取出用金具に設けるフック部も、既設胴縁の断面形状に応じて種々変形可能である。
【００３４】
【発明の効果】
本発明の建築物外装改装方法によれば、既設外装を撤去せずに新外装を取り付けるものであるから、建物内部の物を保護するための大掛かりな仮設養生は不要となり、施工期間が短縮され、施工費も安くなる。
また、既設外装を撤去せずに施工できるので、また、溶接作業は不要なので、また、既設外装にホールソー等で穴をあける以外には既設構造に加工を施すことはないので、ビル入居中でも、あるいは建物内部の機械等が運転中でも、また、溶接等では火災の恐れがある場合でも、外装改装工事を施工することができる。
また、外側からの作業のみで外装改装作業を行うことができるので、作業者が建物内に入って作業をすることができない場合に好適である。
また、既設外装を撤去しないので、産業廃棄物の発生が少なく、環境問題上好ましい。
また、既設外装が残るので、断熱効果、遮音効果等が向上する。
【００３５】
請求項２〜６の下地取出構造を採用することで、上記の建築物外装改装方法を極めて簡単に実施することが可能となり、施工期間の短縮、施工コストの低減を実現できる。
【図面の簡単な説明】
【図１】本発明の第１実施形態を示すもので、金属板製の壁パネルによる外装を改装した建築物における下地取出構造の近傍の縦断面図である。
【図２】図１における若干縮小して示したＡ−Ａ断面図である。
【図３】図１、図２における下地取出用金具の詳細を示すもので、（イ）は正面図、（ロ）は平面図、（ハ）は斜視図である。
【図４】本発明の第２実施形態を示すもので、金属板製の壁パネルによる外装を改装した建築物における下地取出構造の近傍の縦断面図である。
【図５】図４における若干縮小して示したＢ−Ｂ断面図である。
【図６】図４、５図２における下地取出用金具の詳細を示すもので、（イ）は正面図、（ロ）は平面図、（ハ）は斜視図である。
【図７】本発明の第３実施形態を示すもので、金属板製の壁パネルによる外装を改装した建築物における下地取出構造の近傍の縦断面図である。
【図８】図７における若干縮小して示したＣ−Ｃ断面図である。
【図９】図７、図８における下地取出用金具の詳細を示すもので、（イ）は正面図、（ロ）は平面図、（ハ）は斜視図である。
【符号の説明】
１  柱
２、２’  既設胴縁
２ａ  フランジ
２ａ’  リップ部
３  受け金具
４  既設壁パネル（既設外装）
４ａ  連結部
１０、３４  フック部
１０ａ、３４ａ  下向き溝状切り欠き
１１、３１、４１  下地取出用金具
１２、３２  背板部
１３、３３  側板部
１４  ボルト（ねじ締着手段）
１６  浮き上がり防止用Ｌ形金具
１６ａ  垂直部
１６ｂ  水平部
１７  穴塞ぎ板
１７ａ  穴
１８、４６  新下地用Ｌ形金具
１８ａ  垂直部
１８ｂ  水平部
１９  ナット（ねじ締着手段）
２０、３０、４０  下地取出構造
２２  新下地
２３  ボルト
２４  ナット
２５  新壁パネル
３５  下地取出部
３６  タッピンねじ（ビス）
４２  立ち上がり枠部
４３  浮き上がり防止部
４４  金具本体部
４５  フックボルト
４５ａ  フック部
４７、４８  ナット
【図１】
0004023646.tif 000002
【図２】
0004023646.tif 000003
【図３】
0004023646.tif 000004
【図４】
0004023646.tif 000005
【図５】
0004023646.tif 000006
【図６】
0004023646.tif 000007
【図７】
0004023646.tif 000008
【図８】
0004023646.tif 000009
【図９】
0004023646.tif 000010